(57)【要約】【課題】    固定強度が十分に確保できる障子ストッパーを備えた建具を提供すること。【解決手段】金属製の室外部材２２１と樹脂製の室内部材２２２とを有した框材２２における室外部材２２１の室内側側面に係合部２２１Ｅを形成し、室内部材２２２の室内側側面よりも室内側に突出するストッパー本体３１を、固定手段３２，３３，３４を介して室外部材２２１の係合部２２１Ｅに固定して障子ストッパー３０を構成した。従って、障子ストッパー３０の固定強度を十分確保することができる。また、障子ストッパー３０が戸車ボックス２２３と見込み方向に重なっていても、上または左右にずらすことなく障子ストッパー３０を室外部材２２１の室内側側面に固定することができるので、下框２２の見付け寸法が自由に設定できるとともに、建具の開口寸法が確保でき、かつハンドルの大きさや形状が自由に設定できる。【選択図】  図５
2006002345.tif 000002
【特許請求の範囲】
【請求項１】
枠体と、上下左右の框材を備えて前記枠体内部に設けられた障子と、この障子の室内側に設けられたパネル体とを備えた建具であって、
前記障子における上および／または下の框材には、前記パネル体に当接して当該障子またはパネル体のスライド範囲を制限する障子ストッパーが固定され、
前記障子の框材は、金属製の室外部材と、この室外部材の室内側に固定される樹脂製の室内部材とを有して構成され、前記上および／または下の框材における室外部材の室内側側面には、ストッパー受部が形成されており、
前記障子ストッパーは、前記室内部材の室内側側面よりも室内側に突出して前記パネル体に当接可能に設けられたストッパー本体と、このストッパー本体を前記室外部材のストッパー受部に固定する固定手段とを備えた建具。
【請求項２】
前記ストッパー受部は、前記室外部材の室内側側面から室内側に突出して形成され、前記室内部材には、当該室内部材の室外側側面から室内側に凹み、前記ストッパー受部が挿入される凹部が形成されている請求項１に記載の建具。
【請求項３】
前記ストッパー受部は、前記室外部材の長手方向に沿って延び、かつ室内側に開口して係合溝を形成する断面略Ｃ字形の係合部で構成されており、
前記固定手段は、前記室外部材の係合溝に挿入される裏板を有して構成され、前記係合溝に挿入された裏板を介して前記ストッパー本体が前記ストッパー受部に固定される請求項１または請求項２に記載の建具。
【請求項４】
前記室外部材の係合部には、切欠部が設けられており、
前記裏板は、前記係合溝に挿入される挿入部と、この挿入部の一端側に設けられて当該挿入部よりも幅広とされた規制部とを有して全体略Ｔ字形に形成され、前記挿入部の他端側が前記係合部の切欠部から前記障子の戸先側に向かって挿入されるとともに、前記規制部が前記係合部の前記切欠部側端面に当接される請求項３に記載の建具。
【請求項５】
前記上および／または下の框材における室内部材には、当該室内部材を室内外方向に貫通する挿通孔が形成されており、
前記固定手段は、前記室内部材の挿通孔に挿通されるスペーサを有して構成され、
前記スペーサの室外側側面を前記ストッパー受部に当接し、かつ当該スペーサの室内側側面を当該ストッパー本体に当接した状態で、前記ストッパー本体が前記ストッパー受部に固定される請求項１から請求項４のいずれかに記載の建具。
【請求項６】
前記スペーサには、当該スペーサを室内外に貫通する仮固定用孔および本固定用孔が設けられ、
前記スペーサは、前記仮固定用孔に挿通した固着具を用いて前記室外部材に仮固定され、前記ストッパー本体は、室内側から当該ストッパー本体および前記スペーサの本固定用孔に挿通した固着具を用いて前記ストッパー受部に固定される請求項５に記載の建具。
【請求項７】
前記障子およびパネル体は、それぞれ前記枠体内部にスライド自在に設けられ、
前記障子またはパネル体を開放した際に前記ストッパー本体が前記パネル体に当接して当該障子またはパネル体のスライド範囲を制限する請求項１から請求項６のいずれかに記載の建具。
【請求項８】
前記障子は、前記枠体内部にスライド自在に設けられ、
前記パネル体は、前記障子の室内側に移動不能に設けられ、
前記障子を開放した際に前記ストッパー本体が前記パネル体に当接して当該障子のスライド範囲を制限する請求項１から請求項６のいずれかに記載の建具。
【請求項９】
前記障子は、前記枠体内部に移動不能に設けられ、
前記パネル体は、前記枠体内部にスライド自在に設けられ、
前記パネル体を開放した際に前記ストッパー本体が当該パネル体に当接して当該パネル体のスライド範囲を制限する請求項１から請求項６のいずれかに記載の建具。
【請求項１０】
前記障子の室外側には、当該障子と略同様の構成を有した少なくとも１枚以上の室外側障子が設けられ、
前記室外側障子における上および／または下の框材には、当該室外側障子または前記障子を開放した際に当該障子または室外側障子に当接して当該障子、当該室外側障子または当該室外側障子の室内側に設けられた他の室外側障子のスライド範囲を制限する障子ストッパーが固定され、この障子ストッパーは、前記障子ストッパーと略同様の構成を有している請求項１から請求項９のいずれかに記載の建具。
【発明の詳細な説明】
【技術分野】
【０００１】
本発明は、建具に関し、詳しくは、出入り口や窓における引き戸などの戸（障子）に固定され、隣り合う他の戸等に当接して戸の開放範囲を制限する障子ストッパーを備えた建具に関する。
【背景技術】
【０００２】
従来より、３枚引き戸などの建具における戸（障子）の上框（上側桟）や下框（下側桟）に固定されたストッパーが知られている（例えば、特許文献１参照）。
特許文献１に記載されたストッパーは、３枚の戸のうちの室外側および室内側の戸における上框や下框の室内側（または室外側）側面に直接ビス止め固定され、それぞれ真ん中の戸に当接して開放範囲を制限するようになっている。
【０００３】
【特許文献１】特開２００１−２９５５５７号公報
【発明の開示】
【発明が解決しようとする課題】
【０００４】
ところで、近年、出入り口や窓における室内外の断熱効率を高めたり、室内側に結露が発生することを防止したりする目的で、金属製の室外部材と樹脂製の室内部材とを備えて構成された複合の框材が多用されるようになってきた。
しかしながら、このような複合の框材において、特許文献１のような従来のストッパーを適用しようとすると、ストッパーを室内側の樹脂材にビス止め固定することになってしまうため、ストッパーの固定強度が十分に確保できないという問題がある。
【０００５】
また、一般的に下框の端部である縦框近傍位置には戸車が内蔵されており、この戸車の内蔵位置とストッパーの固定位置とが室内外方向に重なることが多くあり、従来のストッパーのように框材に直接ビス止め固定することができない場合がある。このような場合には、障子の走行安定性を確保するために戸車の位置を変更せずに、ストッパーを上方や縦框から離れる側方にずらした位置に固定する、あるいはストッパーを縦框固定する等の対策がなされていた。しかし、ストッパーを上方にずらすと、下框の見付け寸法が大きくなってしまい、ストッパーを縦框から離れる側方にずらすと、引き残し寸法が大きくなって建具の開口寸法が小さくなってしまうという問題が生じる。また、ストッパーを縦框固定すると、引き残し寸法が小さくなり過ぎるため、縦框に設けるハンドル等がストッパーよりも突出しないように、その大きさや形状が制限を受けてしまうという問題もある。
【０００６】
本発明の目的は、固定強度が十分に確保できる障子ストッパーを備えた建具を提供することにある。
【課題を解決するための手段】
【０００７】
本発明の建具は、枠体と、上下左右の框材を備えて前記枠体内部に設けられた障子と、この障子の室内側に設けられたパネル体とを備えた建具であって、前記障子における上および／または下の框材には、前記パネル体に当接して当該障子またはパネル体のスライド範囲を制限する障子ストッパーが固定され、前記障子の框材は、金属製の室外部材と、この室外部材の室内側に固定される樹脂製の室内部材とを有して構成され、前記上および／または下の框材における室外部材の室内側側面には、ストッパー受部が形成されており、前記障子ストッパーは、前記室内部材の室内側側面よりも室内側に突出して前記パネル体に当接可能に設けられたストッパー本体と、このストッパー本体を前記室外部材のストッパー受部に固定する固定手段とを備えたことを特徴とする。
【０００８】
このような構成によれば、框材が樹脂製の室内部材を備えて構成されていても、ストッパー本体を金属製の室外部材のストッパー受部に固定することで、固定強度を十分確保することができる。
また、ストッパー受部を室外部材の室内側側面に設けたことで、下框の室外部材に戸車が内蔵されていても、この戸車に干渉することなく障子ストッパーを設けることができる。
【０００９】
この際、本発明の建具では、前記ストッパー受部は、前記室外部材の室内側側面から室内側に突出して形成され、前記室内部材には、当該室内部材の室外側側面から室内側に凹み、前記ストッパー受部が挿入される凹部が形成されていることが好ましい。
このような構成によれば、ストッパー受部を室外部材の室内側側面から室内側に突出して形成することで、前述のように戸車との干渉を防止することができる。また、このようにストッパー受部を室内側に突出させても、室内部材の凹部にストッパー受部が挿入されて収まるので、框材全体の厚さ寸法（見込み寸法）が大きくなることを防止することができる。
【００１０】
また、本発明の建具では、前記ストッパー受部は、前記室外部材の長手方向に沿って延び、かつ室内側に開口して係合溝を形成する断面略Ｃ字形の係合部で構成されており、前記固定手段は、前記室外部材の係合溝に挿入される裏板を有して構成され、前記係合溝に挿入された裏板を介して前記ストッパー本体が前記ストッパー受部に固定されることが好ましい。
このような構成によれば、裏板を介してストッパー本体を固定することで、必要とされる固定強度に応じて裏板の材質や厚さ寸法、長さ寸法等を適宜設定することができるため、簡単かつ確実に固定強度を確保することができる。
【００１１】
この際、本発明の建具では、前記室外部材の係合部には、切欠部が設けられており、前記裏板は、前記係合溝に挿入される挿入部と、この挿入部の一端側に設けられて当該挿入部よりも幅広とされた規制部とを有して全体略Ｔ字形に形成され、前記挿入部の他端側が前記係合部の切欠部から前記障子の戸先側に向かって挿入されるとともに、前記規制部が前記係合部の前記切欠部側端面に当接されることが好ましい。
このような構成によれば、裏板を略Ｔ字形に形成し、その挿入部を戸先側に向かって係合溝に挿入して規制部を係合部に当接させることで、裏板が戸先側に向かって移動しないようになっており、ストッパー本体にパネル体が当接した際の荷重が作用しても、この荷重を裏板の規制部および係合部の切欠部側端面によって確実に支持することができる。
【００１２】
また、本発明の建具では、前記上および／または下の框材における室内部材には、当該室内部材を室内外方向に貫通する挿通孔が形成されており、前記固定手段は、前記室内部材の挿通孔に挿通されるスペーサを有して構成され、前記スペーサの室外側側面を前記ストッパー受部に当接し、かつ当該スペーサの室内側側面を当該ストッパー本体に当接した状態で、前記ストッパー本体が前記ストッパー受部に固定されることが好ましい。
このような構成によれば、框材の室内部材を貫通するスペーサをストッパー本体およびストッパー受部に当接させることで、ストッパー本体を固定する際の固定力（例えば、ビスによる締め付け力）が室内部材に作用することがないため、樹脂製の室内部材の変形や破損を防止することができる。
【００１３】
この際、本発明の建具では、前記スペーサには、当該スペーサを室内外に貫通する仮固定用孔および本固定用孔が設けられ、前記スペーサは、前記仮固定用孔に挿通した固着具を用いて前記室外部材に仮固定され、前記ストッパー本体は、室内側から当該ストッパー本体および前記スペーサの本固定用孔に挿通した固着具を用いて前記ストッパー受部に固定されることが好ましい。
このような構成によれば、スペーサを仮固定しておいてからストッパー本体を固定することで、ストッパー本体を容易に固定することができる。
【００１４】
一方、本発明の建具では、前記障子およびパネル体は、それぞれ前記枠体内部にスライド自在に設けられ、前記障子またはパネル体を開放した際に前記ストッパー本体が前記パネル体に当接して当該障子またはパネル体のスライド範囲を制限することを特徴とする。
このような構成によれば、前述と同様の効果を有する引違い形式の出入り口や、引違い窓を構成することができる。
【００１５】
また、本発明の建具では、前記障子は、前記枠体内部にスライド自在に設けられ、前記パネル体は、前記障子の室内側に移動不能に設けられ、前記障子を開放した際に前記ストッパー本体が前記パネル体に当接して当該障子のスライド範囲を制限するものでもよい。
このような構成によれば、前述と同様の効果を有する外動片引き形式の出入り口や、外動片引き窓を構成することができる。
なお、移動不能に設けられたパネル体は、障子と同様に上下左右の框材を有して構成された固定障子でもよく、また可動する障子を収納する戸袋などの壁体であってもよい。
【００１６】
さらに、本発明の建具では、前記障子は、前記枠体内部に移動不能に設けられ、前記パネル体は、前記枠体内部にスライド自在に設けられ、前記パネル体を開放した際に前記ストッパー本体が当該パネル体に当接して当該パネル体のスライド範囲を制限するものでもよい。
このような構成によれば、前述と同様の効果を有する内動片引き形式の出入り口や、内動片引き窓を構成することができる。
【００１７】
また、本発明の建具では、前記障子の室外側には、当該障子と略同様の構成を有した少なくとも１枚以上の室外側障子が設けられ、前記室外側障子における上および／または下の框材には、当該室外側障子または前記障子を開放した際に当該障子または室外側障子に当接して当該障子、当該室外側障子または当該室外側障子の室内側に設けられた他の室外側障子のスライド範囲を制限する障子ストッパーが固定され、この障子ストッパーは、前記障子ストッパーと略同様の構成を有しているものでもよい。
このような構成によれば、前述と同様の効果を有する３枚引き形式の出入り口や、３枚引き窓、あるいは４枚以上の障子を有する出入り口や窓を構成することができる。
なお、ここで室外側障子が前記障子と略同様の構成を有するとは、室外側障子が請求項１〜請求項６のいずれかに記載の障子の要件と同様という意味であって、縦框形状等の他の構成も前記障子と必ずしも同様ということではない。
【発明を実施するための最良の形態】
【００１８】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
【００１９】
〔第１実施形態〕
図１は、本発明の第１実施形態に係る建具である引違い窓１を室内側から見た正面図である。図２、図３は、それぞれ引違い窓１を示す縦断面図、および横断面図である。
図１〜３において、建物の外壁開口部に設けられた引違い窓１は、上枠１１、下枠１２、および左右の縦枠１３を四周枠組みした窓枠（枠体）１０と、この窓枠１０の内側に開閉自在に支持された室内外一組の障子２０とを備えて構成されている。障子２０は、上框２１、下框２２、および左右の縦框２３，２４を四周框組みした内部に、ガラスパネル２５を嵌め込んで構成されている。一組の障子２０は、室内側の障子２０Ａと、室外側の障子２０Ｂとが、窓枠１０の見付け方向（図３中、左右方向）略中央位置の召合せ部分２６で重なって閉じるようになっている。そして、室内外の障子２０Ａ，２０Ｂは、召合せ部分２６の縦框（召合せ框）２３Ａ，２３Ｂに設けられた引戸錠であるクレセント２７により施錠できるようになっている。さらに、室内外の障子２０Ａ，２０Ｂにおける戸先側（縦枠１３側）の縦框（戸先框）２４Ａ，２４Ｂには、各障子２０Ａ，２０Ｂを開閉操作するためのハンドル２８が取り付けられている。
【００２０】
室内外の障子２０Ａ，２０Ｂは、それぞれ窓枠１０内において左右にスライド自在に支持されるとともに、室外側の障子２０Ｂにおける上下框２１，２２に固定された障子ストッパー３０によって、障子２０Ａ，２０Ｂを開放した際の当該障子２０Ａ，２０Ｂ相互のスライド範囲が制限されている。すなわち、障子ストッパー３０は、図１、３に示すように、室外側の障子２０Ｂにおける上下框２１，２２の戸先框２４Ｂ側の端部近傍に固定されており、障子２０Ａ，２０Ｂ開放時に室内側の障子２０Ａの召合せ框２３Ａに当接するようになっている。このように障子２０Ａ，２０Ｂ相互のスライド範囲が制限されることで、室外側の障子２０Ｂのハンドル２８が室内側の障子２０Ａの召合せ框２３Ａに衝突することや、室内側の障子２０Ａのクレセント２７が縦枠１３に衝突することが防止されている。さらに、障子ストッパー３０を戸先側端部近傍に固定することで、障子２０Ａ，２０Ｂ開放時に大きな開口寸法Ｗ（図３）が確保できるようになっている。
【００２１】
次に、障子２０の構成について、図４〜図６に基づいて詳しく説明する。図４は、室外側障子２０の下框２２部分を拡大して示す縦断面図である。図５は、下框２２の戸先側端部を示す分解斜視図である。図６は、下框２２の戸先側端部を室内側から見た一部を省略した正面図である。
障子２０の上框２１、下框２２、および左右の縦框２３，２４は、それぞれ室外側に配置されるアルミ押出形材製の室外部材と、この室外部材の室内側に取り付けられる樹脂押出形材製の室内部材とを備えて構成されている。すなわち、図４〜６に示す下框２２について説明すると、下框２２は、室外部材２２１と室内部材２２２とを備え、室外部材２２１に室内部材２２２が係合して一体化されている。
【００２２】
下框２２の室外部材２２１は、角筒状の中空本体部２２１Ａと、この中空本体部２２１Ａの上部室外側から上方に突出したガラス支持片２２１Ｂと、中空本体部２２１Ａの上部室内側から上方に突出した係合片２２１Ｃと、中空本体部２２１Ａの下部室内外両側から下方に突出した２つの垂下片２２１Ｄとを備えて形成されている。室外部材２２１の中空本体部２２１Ａには、戸車２２３Ａを備えた戸車ボックス２２３が挿入されている。この戸車ボックス２２３は、下框２２における戸先框２４Ｂ側の端部近傍に固定されており、室外側の障子２０Ｂにおいて前記障子ストッパー３０と室内外方向（見込み方向）に重なって位置されている。また、室外部材２２１における中空本体部２２１Ａの室内側側面には、当該室外部材２２１の長手方向に沿って延び、かつ係合溝を有すると共に室内側に開口した断面略Ｃ字形の係合部２２１Ｅが室内側に突出して形成されている。この係合部２２１Ｅの下部室内側には、下方に突出した係合片２２１Ｆが設けられている。さらに、係合部２２１Ｅの一部には、図５、６に示すように、後述する障子ストッパー３０の裏板３４を係合部２２１Ｅの係合溝に挿入するための切欠部２２１Ｇが形成されている。
【００２３】
下框２２の室内部材２２２は、内部が上下三段に仕切られた角筒状の本体部２２２Ａと、この本体部２２２Ａの上部室内側から上方に突出したガラス支持片２２２Ｂと、本体部２２２Ａの上部室外側から室外側に突出して鈎状に折れ曲がった係合片２２２Ｃと、本体部２２２Ａの室外側側面に突出した２つの突起部２２２Ｄとを備えて形成されている。また、室内部材２２２における本体部２２２Ａの室外側側面には、室内側に凹んだ凹部２２２Ｅが形成されており、この凹部２２２Ｅの下部室外側には、上方に突出した係合片２２２Ｆが設けられている。さらに、室内部材２２２には、後述する障子ストッパー３０のスペーサ３３を挿通するための挿通孔２２２Ｇが、当該室内部材２２２の本体部２２２Ａを室内外方向に貫通して形成されている。
【００２４】
以上のような室内部材２２２は、その係合片２２２Ｃ，２２２Ｆを室外部材２２１の係合片２２１Ｃ，２２１Ｆに係合させるとともに、突起部２２２Ｄを室外部材２２１の室内側側面に摺接させて、室外部材２２１の長手方向端部から差し込んで取り付けられるようになっている。そして、室外部材２２１に室内部材２２２を取り付けた状態において、室外部材２２１の係合部２２１Ｅが室内部材２２２の凹部２２２Ｅに挿入されている。また、室外部材２２１および室内部材２２２のガラス支持片２２１Ｂ，２２２Ｂが対向して凹溝状のガラス支持部２２４を形成し、このガラス支持部２２４にガスケット２５Ａを介してガラスパネル２５が支持されるようになっている。
【００２５】
次に、室外側の障子２０Ｂにおける下框２２に固定される障子ストッパー３０について、図７〜図９も参照して説明する。図７(Ａ)，(Ｂ)は、それぞれ障子ストッパー３０のストッパー本体３１を示す断面図である。図８(Ａ)〜(Ｃ)は、それぞれストッパー本体３１のベース部３１１を示す断面図および正面図である。図９(Ａ)〜(Ｃ)は、それぞれストッパー本体３１のキャップ部３１２を示す三面図である。
障子ストッパー３０は、樹脂製のストッパー本体３１と、このストッパー本体３１を下框２２の室外部材２２１に固定するためのビス（固着具）３２、スペーサ３３、および裏板３４とを有して構成されている。すなわち、ビス３２、スペーサ３３、および裏板３４によって本発明の固定手段が構成されており、これらを介してストッパー本体３１は、室外部材２２１のストッパー受部としての係合部２２１Ｅに固定されるようになっている。
【００２６】
ストッパー本体３１は、図７〜８に示すように、下框２２の室外部材２２１に固定されるベース部３１１と、このベース部３１１に係合して取り付けられるキャップ部３１２とを有している。ベース部３１１は、その上下に設けられて略楔形状に形成された水平面部３１１Ａと、下框２２の室内部材２２２に沿って設けられる固定面部３１１Ｂと、この固定面部３１１Ｂに略直交して室内側に延びる当接面部３１１Ｃとを有し、これらが一体に成形されている。ベース部３１１の水平面部３１１Ａの内側面には、キャップ部３１２を係止するための係止突起３１１Ｄが設けられている。また固定面部３１１Ｂには、ビス３２を挿通するための挿通孔３１１Ｅと、後述するスペーサ仮固定用のビス３５の頭部の逃げ空間としての開口３１１Ｆとが設けられている。また、ベース部３１１の当接面部３１１Ｃは、障子２０Ａ，２０Ｂを開放した際に室内側の障子２０Ａの召合せ框２３Ａに当接するようになっている。
【００２７】
一方、ストッパー本体３１のキャップ部３１２は、ベース部３１１の水平面部３１１Ａの室内側端縁に沿ってストッパー本体３１の室内側側面を構成する側面部３１２Ａと、この側面部３１２Ａからベース部３１１内部に向かって延びる一対の係合片部３１２Ｂと、側面部３１２Ａから延びてベース部３１１の水平面部３１１Ａに面接触する一対の突出片部３１２Ｃと、固定面部３１１Ｂに係合する一対の係合突起３１２Ｄとを有して形成されている。このようなキャップ部３１２は、係合突起３１２Ｄをベース部３１１の固定面部３１１Ｂに引っ掛けてから、係合片部３１２Ｂ側の側面部３１２Ａを室外側に向かって押し込むことで、係合片部３１２Ｂがベース部３１１の係止突起３１１Ｄに係合されてベース部３１１に取り付けられるようになっている。また、マイナスドライバ等をキャップ部３１２とベース部３１１の間に差し込んで室内側に抉ることで、キャップ部３１２がベース部３１１から取り外せるようになっている。
【００２８】
スペーサ３３は、図４、５に示すように、全体略長円柱状の樹脂部材であり、その見込み寸法は、下框２２の室外部材２２１における係合部２２１Ｅの室内側側面から室内部材２２２の室内側側面までの距離と略同一とされている。すなわち、スペーサ３３の室外側側面を係合部２２１Ｅの室内側側面に当接した状態で、スペーサ３３の室内側側面が室内部材２２２の室内側側面と略同一面となり、このスペーサ３３の室内側側面にストッパー本体３１のベース部３１１の固定面部３１１Ｂが当接されるようになっている。そして、スペーサ３３には、室内外に貫通する２つの本固定用孔３３１と、１つの仮固定用孔３３２とが設けられている。本固定用孔３３１には、ベース部３１１の固定面部３１１Ｂの挿通孔３１１Ｅから挿入されたビス３２が挿通され、仮固定用孔３３２には、仮固定用のビス３３Ａが挿通されるようになっている。つまり、スペーサ３３は、仮固定用のビス３３Ａによって下框２２の室外部材２２１（係合部２２１Ｅの係合溝に挿入された裏板３４）に仮固定可能になっている。
【００２９】
裏板３４は、下框２２における室外部材２２１の係合部２２１Ｅの係合溝に挿入され、この裏板３４にビス３２，３３Ａを螺合することによって、ストッパー本体３１およびスペーサ３３が室外部材２２１に固定される。裏板３４は、金属板材からなり、係合溝に挿入される挿入部３４１と、この挿入部３４１の一端側（図６の右側）に設けられて挿入部３４１よりも幅広とされた規制部３４２とを有して全体略Ｔ字形に形成されている。また、裏板３４の挿入部３４１には、ビス３２が螺合する２つの本固定用ビス孔３４３と、スペーサ仮固定用のビス３３Ａが螺合する１つの仮固定用ビス孔３４４とが設けられている。そして、裏板３４は、係合部２２１Ｅの切欠部２２１Ｇから戸先框２４Ｂ側に向かって挿入部３４１が係合部２２１Ｅの係合溝に挿入され、係合部２２１Ｅの切欠部２２１Ｇ側端面に規制部３４２が当接されるようになっている。
【００３０】
以上のような障子ストッパー３０の取付手順としては、図５に示すように、下框２２における室内部材２２２を室外部材２２１に対して長手方向にずらした状態において、室外部材２２１の係合部２２１Ｅの係合溝に裏板３４を挿入する。そして、室内部材２２２を室外部材２２１の正規の位置に固定する。
次に、室内部材２２２の挿通孔２２２Ｇにスペーサ３３を挿通し、仮固定用のビス３３Ａによってスペーサ３３を室外部材２２１に仮固定する。
そして、ストッパー本体３１のベース部３１１の固定面部３１１Ｂをスペーサ３３の室内側側面に当接させた状態で、ビス３２を固定面部３１１Ｂの挿通孔３１１Ｅおよびスペーサ３３の本固定用孔３３１に挿通して裏板３４の本固定用ビス孔３４３に螺合させる。
次に、ストッパー本体３１のキャップ部３１２をベース部３１１に係合させて、障子ストッパー３０の取り付けが完了する。
【００３１】
このような本実施形態によれば、以下のような効果がある。
（１）すなわち、障子ストッパー３０を固定する上下の框２１，２２が樹脂形材製の室内部材２２２を備えて構成されていても、ビス３２、スペーサ３３、および裏板３４を介してストッパー本体３１がアルミ形材製の室外部材２２１に固定されるので、障子ストッパー３０の固定強度を十分確保することができる。従って、障子２０Ａ，２０Ｂを開放した際の当該障子２０Ａ，２０Ｂ相互のスライド範囲が適切に制限されるので、室外側の障子２０Ｂのハンドル２８が室内側の障子２０Ａの召合せ框２３Ａに衝突したり、室内側の障子２０Ａのクレセント２７が縦枠１３に衝突したりすることが防止できる。
【００３２】
（２）また、下框２２における戸車ボックス２２３と障子ストッパー３０とが見込み方向に重なって設けられていても、室外部材２２１の室内側側面から突出した係合部２２１Ｅに障子ストッパー３０が固定されるので、戸車ボックス２２３と障子ストッパー３０とが干渉しないようにできる。従って、障子ストッパー３０を最適な固定位置からずらして固定する必要がないため、下框２２の見付け寸法を自由に設定できるとともに、適切な引き残し寸法を設定することで開口寸法Ｗが確保できる。さらに、ハンドル２８の大きさや形状の制限を受けないためハンドル２８等の大きさや形状を自由に設定することができる。
【００３３】
（３）さらに、係合部２２１Ｅが室外部材２２１の室内側側面から室内側に突出して形成されているので、係合部２２１Ｅの突出寸法や厚さ寸法が十分確保でき、障子ストッパー３０の固定強度をさらに高めることができる。また、このように係合部２２１Ｅを室内側に突出させても、室内部材２２２の凹部２２２Ｅに係合部２２１Ｅが挿入されて収まるので、框２１，２２全体の見込み寸法が大きくなることを防止することができる。
【００３４】
（４）また、係合部２２１Ｅの係合溝に挿入した裏板３４を介してストッパー本体３１が固定されるので、必要とされる固定強度に応じて裏板３４の材質や厚さ寸法、長さ寸法等を適宜設定することができるため、簡単かつ確実に固定強度を確保することができる。さらに、裏板３４の本固定用ビス孔３４３にビス３２を螺合させるだけで簡単にストッパー本体３１を固定することができる。
【００３５】
（５）さらに、係合部２２１Ｅの係合溝に挿入された裏板３４を介してストッパー本体３１が固定されるので、固定強度に応じて室外部材２２１の断面を変更する必要がなく、室外部材２２１の室内側側面に直接ビス等を螺合してストッパー本体３１を固定する場合と比較して、障子２０の設計が容易にできるとともに、障子ストッパー３０の固定強度が確保できる。
【００３６】
（６）さらに、裏板３４を略Ｔ字形に形成し、その挿入部３４１を戸先框２４Ｂ側に向かって係合部２２１Ｅの係合溝に挿入して規制部３４２を係合部２２１Ｅの切欠部２２１Ｇ側端面に当接させたので、裏板３４が戸先側に向かって移動せず、ストッパー本体３１に室内側の障子２０Ａの召合せ框２３Ａが当接した際の荷重が作用しても、この荷重を裏板３４の規制部３４２および係合部２２１Ｅの切欠部２２１Ｇ側端面によって確実に支持することができる。
【００３７】
（７）また、室内部材２２２を貫通するスペーサ３３の室外側側面を室外部材２２１の係合部２２１Ｅに当接させ、スペーサ３３の室内側側面をストッパー本体３１の固定面部３１１Ｂに当接させることで、ストッパー本体３１を固定する際にビス３２を締め付ける締め付け力が室内部材２２２に作用することがないため、樹脂形材製の室内部材２２２の変形や破損を防止することができる。
【００３８】
（８）さらに、スペーサ３３を仮固定用のビス３３Ａで仮固定しておいてからストッパー本体３１を固定することで、ベース部３１１の挿通孔３１１Ｅに挿通したビス３２をスペーサ３３の本固定用孔３３１に挿通させることで、この本固定用孔３３１がガイドになってビス３２の先端が裏板３４の本固定用ビス孔３４３に案内されるため、ビス３２を容易に螺合することができる。
【００３９】
〔第２実施形態〕
次に、本発明の第２実施形態に係る建具である片引き窓１Ａについて、図１０に基づいて説明する。図１０は、片引き窓１Ａを示す横断面図である。
片引き窓１Ａは、前記第１実施形態と同様の窓枠１０と、この窓枠１０の内側に開閉自在に支持された１枚の障子（可動障子）２０（２０Ｂ）とを備えた外動タイプの片引き窓である。そして、障子２０の室内側には、パネル体としての固定障子４０が窓枠１０に移動不能に固定されている。
固定障子４０は、召合せ部２６を構成する縦骨４３と、縦枠１３に固定された縦支持部材４４と、図示しない上下の支持部材とを備え、これらの縦骨４３および支持部材４４の内部にガラスパネル４５が嵌め込まれて構成されている。
障子２０の上下の框には、障子ストッパー３０が固定されており、障子２０を開放した際に障子ストッパー３０が固定障子４０の縦骨４３に当接して障子２０のスライド範囲を制限するようになっている。
【００４０】
このような本実施形態によれば、前述の効果と略同様の効果を備えた外動タイプの片引き窓１Ａを構成することができる。
すなわち、障子ストッパー３０の固定強度を十分確保することができるとともに、障子２０を開放した際のスライド範囲が適切に制限されるので、障子２０のハンドル２８が固定障子４０の縦骨４３に衝突することが防止できる。さらに、適切な引き残し寸法を設定することで開口寸法Ｗが確保できる。
【００４１】
〔第３実施形態〕
次に、本発明の第３実施形態に係る建具である片引き窓１Ｂについて、図１１に基づいて説明する。図１１は、片引き窓１Ｂを示す横断面図である。
片引き窓１Ｂは、前記第１実施形態と同様の窓枠１０と、この窓枠１０の内側に開閉自在に支持された１枚の障子（可動障子）２０（２０Ａ）とを備えた内動タイプの片引き窓である。そして、障子２０の室外側には、固定障子５０が窓枠１０に移動不能に固定されている。
固定障子５０は、召合せ部２６を構成する縦骨（框材）５３と、縦枠１３に固定された縦支持部材（框材）５４と、図示しない上下の支持部材（框材）とを備え、これらの縦骨５３および支持部材５４の内部にガラスパネル５５が嵌め込まれて構成されている。固定障子５０の上下の支持部材は、前述の第１実施形態の上下の框２１，２２と同様に、室外側に配置されるアルミ押出形材製の室外部材と、この室外部材の室内側に取り付けられる樹脂押出形材製の室内部材とを備えて構成されている。そして、固定障子５０の上下の支持部材には、障子ストッパー３０が固定されており、障子２０を開放した際に障子ストッパー３０が障子２０の召合せ框２３Ａに当接して障子２０のスライド範囲を制限するようになっている。
【００４２】
このような本実施形態によれば、前述の効果と略同様の効果を備えた内動タイプの片引き窓１Ｂを構成することができる。
すなわち、障子ストッパー３０の固定強度を十分確保することができるとともに、障子２０を開放した際のスライド範囲が適切に制限されるので、障子２０のクレセントが縦枠１３に衝突することが防止できる。
【００４３】
〔第４実施形態〕
次に、本発明の第４実施形態に係る建具である３枚引きタイプのサッシ窓１Ｃについて、図１２に基づいて説明する。図１２は、サッシ窓１Ｃを示す横断面図である。
サッシ窓１Ｃは、前記第１実施形態と同様の窓枠１０と、この窓枠１０の内側に支持された３枚の障子６０，７０，８０とを備えた３枚引きタイプのサッシ窓である。３枚の障子６０，７０，８０は、それぞれ前述の第１実施形態の上下左右の框２１，２２，２３，２４と同様の構成を備えた図示しない上下の框および縦框６３，６４，７３，７４，８３，８４と、これらの内部に嵌め込まれたガラスパネル６５，７５，８５を備えている。すなわち、上下の框および縦框６３，６４，７３，７４，８３，８４は、室外側に配置されるアルミ押出形材製の室外部材と、この室外部材の室内側に取り付けられる樹脂押出形材製の室内部材とを備えて構成されている。そして、各障子６０，７０，８０は、それぞれ窓枠１０内部における室内外方向の異なる位置に支持されており、最も室内側に設けられる障子６０の室外側に沿って障子７０がスライド自在に支持され、この障子７０の室外側に沿って障子８０がスライド自在に支持されている。この際、最も室内側の障子６０は、スライド自在に支持されていてもよく、また移動不能に支持されていてもよい。
また、後述するハンドル２８を障子８０ではなく障子６０に設ければ、最も室外側の障子８０を移動不能に支持してもよい。
障子７０，８０の上下の框には、障子ストッパー３０が固定されており、障子７０，８０を開放した際に、室外側の障子８０の障子ストッパー３０がこの障子８０の室内側に設けられた障子７０の縦框（召合せ框）７３に当接し、中間の障子７０の障子ストッパー３０が室内側の障子６０の縦框（召合せ框）６３に当接して、各障子７０，８０のスライド範囲を制限するようになっている。
【００４４】
このような本実施形態によれば、前述の効果と略同様の効果を備えた３枚引きタイプのサッシ窓１Ｃを構成することができる。
すなわち、障子ストッパー３０の固定強度を十分確保することができるとともに、障子７０，８０を開放した際のスライド範囲が適切に制限されるので、障子８０の縦框（戸先框）８４に設けたハンドル２８が障子７０の召合せ框７３に衝突したり、中間の障子７０が室内側の障子６０を越えて縦枠１３に衝突したりすることが防止できる。さらに、適切な引き残し寸法を設定することで開口寸法Ｗが確保できる。
【００４５】
なお、本発明は、前記各実施形態に限定されるものではなく、本発明の目的を達成できる他の構成等を含み、以下に示すような変形等も本発明に含まれる。
例えば、前記各実施形態では、それぞれサッシ窓１，１Ａ，１Ｂ，１Ｃを例示して説明したが、本発明の建具としてはこのようなサッシ窓に限らず、引き戸形式の出入り口であってもよい。引き戸形式の出入り口としては、建物等の外部と内部とを仕切るものでもよく、また建物の部屋等を仕切るものでもよく、例えば浴室の出入り口等に用いることができる。さらに、上げ下げ形式の窓にも用いることができる。
また、前記各実施形態では、障子２０Ｂ，５０，７０，８０の上下の框に障子ストッパー３０を固定したが、これに限らず、上框および下框のいずれか一方に障子ストッパー３０を固定してもよい。
【００４６】
また、前記第２実施形態では、可動障子の室内側に設けられるパネル体として固定障子を用いたが、これに限らず、可動障子の戸袋部を構成する壁体をパネル体として用いてもよい。
また、前記第３実施形態では、窓枠１０内部に３枚の障子６０，７０，８０が支持される３枚引きタイプのサッシ窓について説明したが、これに限らず、４枚以上の障子が支持されたサッシ窓であってもよい。
【００４７】
４枚以上の障子が支持されたサッシ窓としては、例えば、図１３、１４に示すような構成が採用可能である。
図１３に示すサッシ窓１Ｄは、前記第１実施形態と同様の窓枠１０と、この窓枠１０の内側にスライド自在に支持された４枚の障子２０とを備えた４枚建ての引違い窓である。すなわち、サッシ窓１Ｄは、室内側に設けられた２枚の室内側の障子２０Ａと、これらの室外側に設けられた２枚の室外側の障子２０Ｂとを備え、室外側の障子２０Ｂの上下の框に障子ストッパー３０が固定されている。そして、図１３(Ｂ)に示すように、室内側の障子２０Ａを左右両側に開放した場合や、図１３(Ｃ)に示すように、左右いずれかの側の室内外の障子２０Ａ，２０Ｂを他方の側に開放した場合に、障子ストッパー３０が室内側の障子２０Ａの召合せ框に当接して、各障子２０のスライド範囲を制限するようになっている。
【００４８】
図１４に示すサッシ窓１Ｅは、前記第３実施形態と同様の窓枠１０と、この窓枠１０の内側にスライド自在に支持された２枚の障子２０と、窓枠１０の内側に移動不能に支持された２枚の固定障子５０とを備えた内動タイプの引分け窓である。すなわち、サッシ窓１Ｅは、室内側に設けられた２枚の室内側の障子（可動障子）２０Ａと、これらの室外側で左右の縦枠１３側に固定された２枚の固定障子５０とを備え、固定障子５０の上下の框に障子ストッパー３０が固定されている。そして、図１４(Ｂ)に示すように、室内側の障子２０Ａを左右両側に開放した場合に、障子ストッパー３０が室内側の障子２０Ａの召合せ框に当接して、室内側の障子２０Ａのスライド範囲を制限するようになっている。
【００４９】
また、上述のサッシ窓の他に、図１５、１６に示すような構成のサッシ窓に本発明は適用可能である。
図１５に示すサッシ窓１Ｆは、前記第２実施形態と同様の窓枠１０と、この窓枠１０の内側にスライド自在に支持された２枚の障子２０と、窓枠１０の内側に移動不能に支持された幅広の固定障子４０とを備えた外動タイプの両袖片引き窓である。すなわち、サッシ窓１Ｆは、室外側に設けられた２枚の室外側の障子（可動障子）２０Ｂと、これらの室内側で左右の縦枠１３間の略中央に固定された固定障子４０とを備え、室外側の障子２０Ｂの上下の框に障子ストッパー３０が固定されている。そして、図１５(Ｂ)に示すように、室外側の障子２０Ｂを中央側に開放した場合に、障子ストッパー３０が固定障子４０に当接して、室外側の障子２０Ｂのスライド範囲を制限するようになっている。
【００５０】
図１６に示すサッシ窓１Ｇは、図１５の両袖片引き窓と同様に、２枚の障子２０と、幅広の固定障子４０とを備えているが、２枚の可動障子が室内側の障子２０Ａであり、これらの室外側に幅広の固定障子４０が固定された内動タイプの両袖片引き窓である点と、固定障子４０の略中央位置における上下の框に、障子ストッパー３０が２つずつ固定されている点とが相違する。そして、図１６(Ｂ)に示すように、室内側の障子２０Ａを中央側に開放した場合に、障子ストッパー３０が室内側の障子２０Ａの召合せ框に当接して、室内側の障子２０Ａのスライド範囲を制限するようになっている。
【００５１】
また、前記各実施形態では、障子ストッパー３０をストッパー本体３１、ビス３２、スペーサ３３、および裏板３４で構成したが、これに限らず、スペーサをストッパー本体と一体化してもよい。この場合、樹脂製のストッパー本体とベース部を一体化してもよく、またストッパー本体とスペーサを金属製として一体化してもよい。さらに、障子ストッパー３０の裏板を省略し、室外部材２２１のストッパー受部に直接ビス止めによりストッパー本体を固定してもよい。この場合ストッパー受部としては、室外部材２２１の室内側側面にビスホール等を形成しておいてもよく、また前記実施形態の裏板と同様の部材を溶接等により室外部材に固定しておいてもよい。
【００５２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５３】
【図１】本発明の第１実施形態に係る建具である引違い窓を室内側から見た正面図である。
【図２】前記引違い窓を示す縦断面図である。
【図３】前記引違い窓を示す横断面図である。
【図４】前記引違い窓における室外側障子の下框部分を拡大して示す縦断面図である。
【図５】前記下框の戸先側端部を示す分解斜視図である。
【図６】前記下框の戸先側端部を室内側から見た一部を省略した正面図である。
【図７】(Ａ)，(Ｂ)は、本発明の障子ストッパーにおけるストッパー本体を示す断面図である。
【図８】(Ａ)〜(Ｃ)は、前記ストッパー本体のベース部を示す断面図および正面図である。
【図９】(Ａ)〜(Ｃ)は、前記ストッパー本体のキャップ部を示す三面図である。
【図１０】本発明の第２実施形態に係る建具である片引き窓を示す横断面図である。
【図１１】本発明の第３実施形態に係る建具である片引き窓を示す横断面図である。
【図１２】本発明の第４実施形態に係る建具である３枚引きタイプのサッシ窓を示す横断面図である。
【図１３】本発明の変形例に係る建具の概略構成を示す横断面図である。
【図１４】本発明の変形例に係る建具の概略構成を示す横断面図である。
【図１５】本発明の変形例に係る建具の概略構成を示す横断面図である。
【図１６】本発明の変形例に係る建具の概略構成を示す横断面図である。
【符号の説明】
【００５４】
１…建具である引違い窓、１Ａ，１Ｂ…建具である片引き窓、１Ｃ…建具である３枚引きタイプのサッシ窓、１０…枠体である窓枠、２０，２０Ｂ…障子、２０Ａ…パネル体である室内側障子、２１…上框、２２…下框、２３，２４…縦框、３０…障子ストッパー、３１…ストッパー本体、３２，３３Ａ…固着具であるビス、３３…スペーサ、３４…裏板、４０…パネル体である固定障子、５０…固定障子、６０，７０，８０…障子、２２１…室外部材、２２１Ｅ…係合部、２２１Ｇ…切欠部、２２２…室内部材、２２２Ｅ…凹部、２２２Ｇ…挿通孔、３３１…本固定用孔、３３２…仮固定用孔、３４１…挿入部、３４２…規制部。
【図１】
2006002345.tif 000003
【図２】
2006002345.tif 000004
【図３】
2006002345.tif 000005
【図４】
2006002345.tif 000006
【図５】
2006002345.tif 000007
【図６】
2006002345.tif 000008
【図７】
2006002345.tif 000009
【図８】
2006002345.tif 000010
【図９】
2006002345.tif 000011
【図１０】
2006002345.tif 000012
【図１１】
2006002345.tif 000013
【図１２】
2006002345.tif 000014
【図１３】
2006002345.tif 000015
【図１４】
2006002345.tif 000016
【図１５】
2006002345.tif 000017
【図１６】
2006002345.tif 000018